(57)【要約】【課題】ワッシャが締付られる端子台から導通を得て、外部に電流や信号を取り出そうとした場合に、端子台に接続される電線や圧着端子の大きさや位置の違いを許容して、新たな金具が必要になることがなく、物品および管理コストの増加や、端子の発熱増加を防ぐことができる端子接続部付きの平ワッシャを提供する。【課題を解決するための手段】雌型接続端子を接続するための雄型の端子接続部１０３が、平ワッシャ部１０１周縁部から複数の細腕部１０２を介して延設折曲されて、平ワッシャ部１０１と一体に形成されるよう端子接続部付き平ワッシャ１を構成した。【選択図】図１
2015216024.tif 000002
【特許請求の範囲】
【請求項１】
端子接続部が平ワッシャ周縁部から延設される端子接続部付き平ワッシャであって、
前記延設部分の一部に複数の細腕部を設けて、
延設部を変形可能に設けたことを特徴とする端子接続部付き平ワッシャ。
【請求項２】
前記端子接続部は、平ワッシャ締結面と段違いに形成されるとともに、平行に配置されることを特徴とする請求項１記載の端子接続部付き平ワッシャ。
【請求項３】
前記腕部は、
前記平ワッシャ及び端子接続部と、
互いに直角を成して構成されることを特徴とする請求項２記載の端子接続部付き平ワッシャ。
【発明の詳細な説明】
【技術分野】
【０００１】
本発明は、端子台に締付固定される平ワッシャに関する。特に、前記端子台と導通を得ることができる端子接続機能を設けた平ワッシャに関する。
【背景技術】
【０００２】
従来、平ワッシャに特定の機能を付加したものとして、例えば特許文献１乃至特許文献３に示されるものが開示されている。
【０００３】
特許文献１には、ショベル等の土木、建設及び鉱山機械等に用いるための樹脂製ワッシャが示されている。本ワッシャには、土木機械等の軸連結部への組み付け性を向上させるために、掴み代が形成されている。（図５）
【０００４】
また、特許文献２には、ナットねじ又はボルトの仮締め状態を表示するワッシャが示されている。本ワッシャには、表示端子が形成されている。（図６）
【０００５】
特許文献３には、ナットの回転を防止し得る平板ワッシャが示されている。本ワッシャには、折曲起立させてナットに当接させることによりナットの回転を防止する回転防止片が形成されている。（図７）
【０００６】
これら特許文献に開示されたワッシャは，ワッシャの組付機能，締付機能，ナット固定機能をそれぞれ向上させるものである。
【先行技術文献】
【特許文献】
【０００７】
【特許文献１】特開平１０−２９２８１３号公報（図１）
【特許文献２】特開平６−３０７４２２号公報（図１）
【特許文献３】特開平１０−１９６６３３号公報（図１）
【発明の概要】
【発明が解決しようとする課題】
【０００８】
上述したワッシャは、ワッシャに付加機能を備えるものとして有益であるが、特許文献１及び特許文献２に開示されたワッシャにおいては、いずれも用済み後には付加機能部分を取り去り，付加機能を有しない本来のワッシャに戻す用法である。また、特許文献３に開示されたワッシャにおいては、付加機能部分を取り去ることはないが、ワッシャ単品で使用が完結する用法である。
【０００９】
さて、ワッシャが締付られる端子台から導通を得て、本来接続される電線や圧着端子に加えて、外部に電流や信号を取り出そうとした場合、上述した特許文献に開示されたワッシャにおいては、目的を達しない。即ち、端子台には、新たに電流取出し用の金具や、信号取出し用の金具を装着せねばならず、これらのワッシャに加えて、第三の金具を重ね合わせてねじで締めつける必要が生じる。このため、第三の金具そのもののコスト、及び、ねじの長さが第三の金具の厚さ分だけ必要になりコストが増加する。また、重ね合わせる金具が増えると接触抵抗が増加することにより端子部における発熱が増加し、端子部における温度が高くなってしまうという課題がある。
【００１０】
また、ワッシャが締付られる端子台から導通を得て、本来接続される電線や圧着端子に加えて、外部に電流や信号を取り出そうとした場合、端子台に接続される電線や圧着端子の大きさや位置に応じて、電線取出し用の金具の形状を種々取り揃える必要がある。このため、金具の種類が増え、管理の手間や管理のコストが増加してしまう。
【００１１】
そこで、本発明は、上記課題に鑑みてなされたもので、ワッシャが締付られる端子台から導通を得て、外部に電流や信号を取り出そうとした場合に、端子台に接続される電線や圧着端子の大きさや位置の違いを許容して、新たな金具を必要とすることなく、物品および管理コストの増加や、端子の発熱増加を防ぐことができる端子接続部付きの平ワッシャを提供することを目的とする。
【課題を解決するための手段】
【００１２】
本発明に係る端子接続部付き平ワッシャは、上述の課題を解決すべく構成されたもので、端子接続部が平ワッシャ周縁部から延設される端子接続部付き平ワッシャであって、前記延設部分の一部に複数の細腕部を設けて、延設部を変形可能に設けたことを特徴とする。
【００１３】
かかる構成によれば、端子接続部を平ワッシャ周縁部から細腕部を介して延設したことにより、端子接続部は、ワッシャが締付られる端子台からの導通を、第三の金具を別途重ね合わせて取り付けることなく得ることができるから、コストの増加や端子部における発熱増加を防ぐことができる。また、第三の金具を別途重ね合わせてねじで締め付ける場合、ワッシャと第三の金具が供回りして、第三の金具の位置が回転し、一定の方向が定まらないおそれがあるが、本願における端子接続部付き平ワッシャであれば、そもそも供回りするおそれがない。
【００１４】
また、端子接続部を平ワッシャ周縁部から細腕部を介して延設したことにより、延設部分を変形させることができ、端子台に接続される電線や圧着端子の大きさや位置に応じて、細腕部が変形可能な範囲で位置を許容することができる。
【００１５】
また、前記端子接続部は、平ワッシャ締結面と段違いに形成されるとともに、平行に配置される構成を採用することができる。
【００１６】
かかる構成によれば、端子接続部を平ワッシャ締結面と高さを違えて段違いに形成したため、端子台に本来接続する電線との干渉を避けることができる。また、端子接続部と平ワッシャ締結面とを平行に配置したため、端子台への平ワッシャの接続と、端子接続部への端子の接続作業時に、ドライバやペンチなどの工具を持ちかえたり作業の角度を変える必要が最小限で済むから接続作業性がよい。
【００１７】
また、前記腕部は、前記平ワッシャ及び端子接続部と、互いに直角を成す構成を採用することができる。
【００１８】
かかる構成によれば、平ワッシャと腕部、腕部と端子接続部とを互いに直角を成す構成としたため、平ワッシャをその腕部の延設方向から臨んだ場合に、平ワッシャに近接して端子接続部を配置することができる。即ち、端子台からの端子接続部の突出が抑えられ、省スペース性に優れた端子接続部付き平ワッシャを提供することができる。
【発明の効果】
【００１９】
以上の如く、本発明によれば、ワッシャが締付られる端子台から導通を得て、外部に電流や信号を取り出そうとした場合でも、端子台に接続される電線や圧着端子の大きさや位置の違いを許容して、新たな金具を必要とすることなく、物品および管理コストの増加や、端子の発熱増加を防ぐことができる端子接続部付きの平ワッシャを提供することができる。
【図面の簡単な説明】
【００２０】
【図１】第一の実施形態を示す端子接続部付き平ワッシャの斜視図を示す。
【図２】端子ねじを装着した状態を示す端子接続部付き平ワッシャの斜視図を示す。
【図３】圧着端子と重ね合わせた状態を示す端子接続部付き平ワッシャの斜視図を示す。
【図４】第二の実施形態を示す端子接続部付き平ワッシャの斜視図を示す。
【図５】従来例における平ワッシャを示す。
【図６】従来例における平ワッシャを示す。
【図７】従来例における平ワッシャを示す。
【発明を実施するための形態】
【００２１】
以下、本発明を実施形態により説明する。
（実施形態１）
まず、本実施形態に係る端子接続部付き平ワッシャ１の構成について、図１乃至図３を参酌しつつ説明する。本実施形態に係る端子接続部付き平ワッシャ１は、導電性を有する黄銅からなる。また、表面にはスズめっきを施している。
【００２２】
本体の形状は、基部となる平ワッシャ部１０１と、該平ワッシャ部１０１の周縁部から折曲形成されて延設される２本の細腕部１０２と、該細腕部の端部同士をつなぎ合わせる橋絡部１０２ａと、該橋絡部１０２ａの周縁部から折曲形成されて延設される端子接続部１０３と、の４つの部分を備える。
【００２３】
夫々の部分は、略矩形状に形成される。平ワッシャ部１０１は、板厚０．８ｍｍの平板四角形状を成し、座面１０１ｂの略中央部には、板厚方向に沿ってねじを貫通させるためのねじ貫通孔１０１ａが設けられている。また、平ワッシャ部１０１の外形角部は、面取りが行われ円弧状に加工される。
【００２４】
平ワッシャ部１０１の周縁部から延設形成される２本の細腕部１０２は、夫々、平ワッシャ１０１の両端部に設けられており、平ワッシャ部１０１の座面１０１ｂと直角になるよう折曲形成される。折曲軸の方向を平ワッシャ部１０１の幅方向とした場合、腕部１０２は、平ワッシャ部１０１の幅の８分の１に形成される。
【００２５】
細腕部１０２の延設方向端部には、該腕部同士をつなぎ合わせる橋絡部１０２ａが設けらる。該橋絡部１０２ａは、前記延設方向を短辺とする長方形状に形成される。平ワッシャ部１０１及び橋絡部１０２ａと比較して、腕部１０２の幅を狭く形成し、相対的に腕部を変形しやすく構成している。
【００２６】
前記腕部同士の間には孔部１０２ｂが形成される。該孔部１０２ｂを臨んで、該孔部１０２ｂの幅方向における中心線は、前記ねじ貫通孔１０１ａの中心と一致する。
【００２７】
前記細腕部１０２の周縁部に形成される端子接続部１０３は、更に細腕部１０２と直角になるよう折曲形成される。即ち、前記平ワッシャ部１０１と段違いに、なおかつ、平行になるよう形成される。
【００２８】
端子接続部１０３の幅方向の大きさは、平ワッシャ部１０１及び細腕部１０２の幅方向の大きさの略３分の１に形成される。また、形成される位置は、前記幅方向における中央部である。前記端子接続部１０３は一般的な平板接続端子（タブ端子）の形状を成す。該端子接続部１０３には、前記平板接続端子に適合する雌型接続端子（リセプタクル）が接続されて、端子台から導通を得て、外部に電流や信号を取り出すことができる。
【００２９】
次に、端子接続部付き平ワッシャ１の省スペース性について説明を行う。一般に、端子部においては、導通を伴う充電部が、絶縁性の観点からできる限り端子部の外部に突出しないことが望ましい。端子接続部付き平ワッシャ１においては、前記腕部１０２の幅方向中央部に形成された孔部１０２ａが省スペース化のために有効である。以下、孔部１０２ｂの省スペース化について説明する。
【００３０】
図２には、端子接続部付き平ワッシャ１に端子ねじ２を装着した図を示している。通常、端子ねじ２を装着する場合、前記平ワッシャ１０１から直角に折曲形成した腕部１０２に端子ねじの頭部が接触しないように、座面１０１ｂの大きさは、端子ねじの頭部外形よりも大きく形成する。本発明における端子接続部付き平ワッシャ１においては、平ワッシャの両端に腕部を形成し、該腕部同士の間に孔部１０２ｂを形成されるから、端子ねじ２の外形の一部が、前記孔部１０２ｂをくぐるように配置できる。
【００３１】
本実施形態においては、１ｍｍ程度、腕部１０２の折曲開始位置を短くすることができ、その分、腕部１０２及び端子接続部１０３の突出長さを短く形成することができる。
【００３２】
次に、前記端子接続部付き平ワッシャ１０１の使用状態について説明を行う。図３には、平ワッシャ部１を圧着端子３と重ね合わせ、さらに、端子ねじ２を装着した図を示している。一般には、端子台（端子台は図示しない）に、圧着端子を取り付けするときには、圧着端子、平ワッシャ、ばね座金、を夫々重ねて配置し、これらに端子ねじを貫挿させて端子台にねじ締め取付する。
【００３３】
本実施形態においては、圧着端子、端子接続部付き平ワッシャ１、ばね座金、を夫々重ねて配置し、これらに端子ねじを貫挿させて端子台にねじ締め取付する。腕部１０２及び端子接続部１０３が、圧着端子３のバレル部３０１と干渉せぬよう、折曲部１０１Ｃの折曲位置は、前記バレル部３０１よりもねじ頭側に設けられる。また、腕部１０２の長さは、バレル部３０１の高さを超えて設けられ、端子接続部１０３に雌型接続端子（リセプタクル）を接続した場合に、該雌型接続端子がバレル部に接触せぬよう形成される。
【００３４】
また、腕部１０２を変形させることによって、端子台に接続される電線や圧着端子の大きさや位置に応じて、端子接続部１０３の位置を移動させることができる。
【００３５】
（実施形態２）
次に、第二の実施形態について図４を用いて説明する。第一の実施形態との違いは、前記細腕部１０２の本数が相違する点である。第二の実施形態においては、細腕部１０２ｄを、平ワッシャ部１０１の端部に２本と、その内側に等間隔に２本、合計４本設けている。細腕部の本数が増加することで容易には変形しにくくなる。電線を接続後に不用意な力を受けた場合でも、接続したときの位置関係を保つことができる。
【００３６】
尚、本発明は、上記実施形態に限定されるものではなく、本発明の要旨を逸脱しない範囲で種々の変更が可能である。
【００３７】
例えば、端子接続部１０３の変更について、実施形態においては端子接続部１０３は、腕部１０２の幅方向中央部において、平ワッシャ部１０１及び腕部１０２の幅方向の大きさの略３分の１に形成されているが、幅方向の左右両端部に２つの端子接続部を折曲形成し、端子接続部の数を増やしてもよい。また、端子接続部の幅を狭く形成して（具体的には、幅方向の３分の１よりも小さく形成して）、腕部１０２の幅方向中央部と、左右両端部とに合計３つの端子接続部を形成してもよい。このように、端子台から導通を得て、外部に電流や信号を取り出す経路を複数形成することができる。
【００３８】
また、前記腕部１０２の変更について、実施形態においては、前記平ワッシャの両端部から細腕部が延設形成されているが、細腕部の形成位置を、端部から内寄りに形成してもよい。このように形成することにより、端子部近傍の自由スペースが少ない場合でも外部に電流や信号を取り出すための端子接続部を設けることができる。
【００３９】
また、前記橋絡部１０２ａについて、平ワッシャ部１０１から夫々延設形成される細腕部に、そのまま端子接続部が形成される形態としてもよい。これにより、端子台から導通を得て、外部に電流や信号を取り出す経路を変形可能として、複数形成することができる。特に、３つの腕部の長さを夫々違えて形成し、端子接続部の高さを夫々違えて構成してもよい。これにより、端子接続部同士の位置を離して配設することができ、雌型接続端子の接続作業を容易とし、作業性の向上を図ることができる。
【符号の説明】
【００４０】
１  端子接続部付き平ワッシャ
１０１  平ワッシャ部
１０１ａ  ねじ貫通孔
１０１ｂ  座面
１０１ｃ  折曲部
１０２  腕部
１０２ａ  橋絡部
１０２ｂ  孔部
１０２ｃ  折曲部
１０３  端子接続部
２  端子ねじ
３  圧着端子
３０１  バレル部
【図１】
2015216024.tif 000003
【図２】
2015216024.tif 000004
【図３】
2015216024.tif 000005
【図４】
2015216024.tif 000006
【図５】
2015216024.tif 000007
【図６】
2015216024.tif 000008
【図７】
2015216024.tif 000009